(57)【要約】【課題】適度な弾性を有し、押圧された領域と未押圧領域との間の傾斜度が過大にならないエアクッション装置を提供すること。【解決手段】上マット２１、下マット２２を備える複数の独立筒２０と、基台とを有し、上マット２１と、下マット２２とは、平面状でありかつ硬質の材質で形成され、それぞれ独立筒２０の頂部と底部とに位置し、独立筒２０は、圧縮可能かつ原状に復元可能な筒体であり、複数個の独立筒２０が前記基台上に分布させて取り付けられ、独立筒２０の周壁に給気弁２３と、排気弁２４とが設けられ、排気管を介して独立筒２０の排気弁２４と一側に隣接する独立筒２０の給気弁２３とを連結し、給気管を介して独立筒２０の給気弁２３と他側に隣接する独立筒２０の排気弁２４とを連結してある。【選択図】図１
0003215570.tif 000002
【実用新案登録請求の範囲】
【請求項１】
上マット、下マットを備える複数の独立筒と、基台とを有し、前記上マットと、前記下マットとは、平面状でありかつ硬質の材質で形成され、それぞれ前記独立筒の頂部と底部とに位置し、前記独立筒は、圧縮可能かつ原状に復元可能な筒体であり、複数個の独立筒が前記基台上に分布させて取り付けられ、前記独立筒の周壁に給気弁と、排気弁とが設けられ、排気管を介して前記独立筒の排気弁と一側に隣接する独立筒の給気弁とを連結し、給気管を介して前記独立筒の給気弁と他側に隣接する独立筒の排気弁とを連結したことを特徴とする、エアクッション装置。
【請求項２】
前記独立筒は、周壁が蛇腹状に形成された筒体であることを特徴とする、請求項１に記載のエアクッション装置。
【考案の詳細な説明】
【技術分野】
【０００１】
本考案は、頭枕、抱き枕、座布団、敷布団等のエアクッション装置に関する。
【背景技術】
【０００２】
本出願人は、先に、エアクッション式独立筒を備えたまくらを提案した（特許文献１参照）。このまくらは、「上マットと、下マットと、複数個の独立筒とを備え、上マットと、下マットとは、それぞれまくらの頂部と底部とに位置して、複数個の独立筒を上マットと下マットとの間に分布させて、独立筒は、圧縮可能かつ原状に復元可能に構成された筒体であり、底蓋上に位置し、前記底蓋内に濾過体が収容され、その周辺に逆止弁が設けられ、独立筒または底蓋の所定位置に少なくとも１つの空気抜き孔を具備し、これによって、調節まくらが人体を受けて押下された後、独立筒が圧縮されると、その内部空気を空気抜き孔を経て排出する一方、人体による押下を受けていない時に、独立筒が原状に復元され、その内部気体が逆止弁を経て濾過体に進入して独立筒内に至り、内部の空気をリフレッシュすることを特徴とする」構造である。
【０００３】
また、濾過清浄機能を有し、人体の重量を利用してまくらを押し絞って、空気中の汚れ分子または臭気を濾過して外部に排出し、人体が転がる時に、まくらが自然に原状に復元され、清浄な空気が自然に入り込み、芳しい香気により人体全身のあらゆる筋肉をリラックスさせると共に、天然香りが発散されて、人が大自然の環境を連想させ、人に清爽感と愉悦感を与えることができる。
さらに、その外形と体積は、一般のベッド、頭枕、仰臥用枕、抱き枕、ベッド用枕、座布団、自動車用枕とあまり変わりなく、スペースを無駄にすることなく、その上、センサを搭載してもよく、現代の電子伝送方式に合わせて、人体の睡眠時間の長短及び間隔を検知して携帯などの電子機器に伝達し、これらの人体の睡眠時間を記録した情報を、人々に参照根拠として提供することができ、まくらの軟硬を調節することもでき、発売以来、業界間では大変な好評を博している。
【０００４】
しかしながら、上マットと、下マットと、独立筒とは一体成形され、上マット及び下マットの材質が軟らかいので、空気注入時または空気抜き時、上マットと、下マットとに重圧を受ければ、軟化現象を起こすことにより、引張展開作用が完全に発揮できなくなる可能性がある。
さらに、複数個の独立筒が相隣しており、押圧される時に隣接する独立筒が一緒に沈み込んでしまい、未押圧状態で隣接する独立筒の空気圧が飽和状態になり、沈み込んだ複数個の独立筒では支持のための力強さが発揮できず、使用する人が柔らかすぎると感じられ、底部に当たるような触覚を得ることになる一方、未押圧状態での複数個の独立筒がまた、過飽和状態になるため、凹凸不均一の現象が発生することになる。
【先行技術文献】
【特許文献】
【０００５】
【特許文献１】台湾実用新案登録第Ｍ５４４２５２号明細書
【考案の概要】
【考案が解決しようとする課題】
【０００６】
上記したように従来のエアクッション式独立筒を備えたまくら等は、上マットと、下マットとに重圧を受けて、引張展開作用が完全に発揮できず、相隣の独立筒が相隣して一緒に沈み込んでしまい、沈み込んだ複数個の独立筒では支持のための力強さが発揮できない上、未押圧状態での複数個の独立筒がまた、過飽和状態になることから、顕著な対比が現れ、睡眠時、姿勢を変えずに長時間続けると、身体が適切に支持されておらず、腰痛や背中の痛みを発症するおそれがあり、成長中の青少年の発育に悪い影響を及ぼすと考えられる。
本考案が解決しようとする課題は、上述の問題を解決し、適度な弾性を有し、押圧された領域と未押圧領域との間の傾斜度が過大にならないエアクッション装置を提供することにある。
【課題を解決するための手段】
【０００７】
本考案のエアクッション装置は、上マット、下マットを備える複数の独立筒と、基台とを有し、前記上マットと、前記下マットとは、平面状でありかつ硬質の材質で形成され、それぞれ前記独立筒の頂部と底部とに位置し、前記独立筒は、圧縮可能かつ原状に復元可能な筒体であり、複数個の独立筒が前記基台上に分布させて取り付けられ、前記独立筒の周壁に給気弁と、排気弁とが設けられ、排気管を介して前記独立筒の排気弁と一側に隣接する独立筒の給気弁とを連結し、給気管を介して前記独立筒の給気弁と他側に隣接する独立筒の排気弁とを連結してある。
前記独立筒は、周壁が蛇腹状に形成された筒体とすることがある。
【考案の効果】
【０００８】
本考案によれば、各独立筒の頂部及び底部に、平面状で変形しにくい硬質の上マットと、下マットとを設けたので、未押圧時または他の独立筒からの空気圧を受けた時に、前記上マットをゆっくりと上昇させて変形しないよう保持し、独立筒の空気抜き時に、上マットをゆっくりと降下させて変形しないよう保持し、人体で複数の独立筒が押し潰される時に、完全に陥没しないように適度な弾性を持たせることができる。
また、独立筒と独立筒との間を牽制することで、一部領域の独立筒が押圧されて傾斜度が過大になることなく、未押圧領域の独立筒の隆起が甚だ多い不具合をしっかり取り除き、押圧された領域と未押圧領域とに顕著な対比傾斜が生じることがない。
【図面の簡単な説明】
【０００９】
【図１】本考案の実施例に係る独立筒の未圧縮時の断面図である。
【図２】本考案の実施例に係る独立筒の圧縮時の断面図である。
【図３】本考案の実施例を示すエアクッション装置の平面概略図である。
【図４】本考案の実施例を示すエアクッション装置の平面図である。
【図５】本考案の実施例を示すエアクッション装置の要部断面図である。
【考案を実施するための形態】
【００１０】
以下、本考案の実施例を図面に基づいて詳細に説明する。
図１及び図２に示すように、本考案のエアクッション装置は、複数の独立筒２０、上マット２１及び下マット２２と、基台３０とを備える。
上マット２１と、下マット２２とは、平面状で変形しにくい硬質の材質で形成され、それぞれ独立筒２０の頂部と底部とに位置する。
独立筒２０は、軟性材質よりなり、周壁が蛇腹状に形成された筒体であり、圧縮可能かつ原状に復元可能である。また、独立筒２０の周壁下部には給気弁２３及び排気弁２４が設けられる。
【００１１】
図３及び図４に示すように、複数個の独立筒２０が基台３０に並べて載置される。
独立筒２０の排気弁２４には排気管２４１が接続され、排気管２４１が一側に隣接する独立筒２０の給気弁２３に連結される。また、独立筒２０の給気弁２３に給気管２３１が接続され、給気管２３１が他側に隣接する独立筒２０の排気弁２４に連結される。
【００１２】
本考案のエアクッション装置は、ベッド、頭枕、仰臥用枕、抱き枕、ベッド用枕、座布団、自動車用枕などの使用に供することができ、一般のホームユースに供するほかに、車載用に供することもできる。
使用時、図５に示すように、独立筒２０が人体の重量を受けて押下され、一部の独立筒２０が圧縮されると、その内部空気が排気弁２４を経て一側に隣接する独立筒２０内に排出され、未押圧状態の他側に隣接する独立筒２０に排出されるのを回避する一方、独立筒２０が人体による押下を受けていない時に、つまり人体が寝返りをする時や暫く独立筒２０を押圧しない時に、押圧されていた独立筒２０が自然に原状に復元され、押圧された独立筒２０の気体が、相隣の独立筒２０に進入して、未押圧状態の独立筒２０に流入しないようにし、押圧された領域の独立筒２０を、完全に陥没しないように適度な弾性を持たせる。
【００１３】
当該独立筒２０が押圧される時に、上マット２１と下マット２２とのそれぞれに作用力を受けるに伴い、独立筒２０に力が加えられ、上マット２１と、下マット２２とは、平面状でありかつ変形しにくい材質で形成されるため、未押圧時または他の独立筒２０からの空気圧を受けた時に、上マット２１をゆっくりと上昇させて変形しないよう保持し、独立筒２０の空気抜き時に、上マット２１をゆっくりと降下させて変形しないよう保持し、人体で複数の独立筒２０が押し潰される時に、完全に陥没しないように適度な弾性を持たせ、独立筒２０と独立筒２０との間を牽制することで、一部領域の独立筒２０が押圧されて傾斜度が過大になることなく、未押圧領域の独立筒２０の隆起が甚だ多い不具合をしっかり取り除き、押圧された領域と未押圧領域とに顕著な対比傾斜が生じるのを防ぐ。
【００１４】
なお、エアクッション装置の底部に多層空気濾過材（濾過体、活性炭材質、香りシート）を添装してもよい。このようにすると、濾過体及び活性炭材質により空気中の不純物を濾過することができる。濾過体は各種の濾過材質（例えば、竹炭）とする。また、香りシートから芳しい匂いが発散されて、人が大自然の環境中に身を置く感じを彷彿とさせる香りを連想させ、人に清爽感と愉悦感を与えることができる。
【００１５】
全ての独立筒２０の圧縮と原状復元とは、人体の重量及び寝返りを利用して自然に発生するため、他の動力を要することなく、人体の重量で押下された後、その内部空気が他の独立筒２０へ繋がり流れる。さらに、独立筒２０にセンサを装着してもよく、現代の電子伝送方式に合わせて、人体の睡眠時間の長短及び間隔を検知して携帯などの電子機器に伝達し、これらの人体の睡眠時間を記録した情報を、人々に参照根拠として提供することができる。
【００１６】
以上は、本考案の実施例の説明であって、本考案の権利範囲を限定するものではなく、実用新案登録請求の範囲を逸脱しない変更や修飾はいずれも本考案の権利範囲に含まれる。
【符号の説明】
【００１７】
２０：独立筒
２１：上マット
２２：下マット
３０：基台
２３：給気弁
２４：排気弁
２３１：給気管
２４１：排気管
【図１】
0003215570.tif 000003
【図２】
0003215570.tif 000004
【図３】
0003215570.tif 000005
【図４】
0003215570.tif 000006
【図５】
0003215570.tif 000007